(57)【要約】【課題】閉じ方向に付勢された開き戸を所定の負荷をかけながらゆっくりと閉止させることができる開き戸のブレーキ装置を提供すること。【解決手段】閉じ方向に付勢された開き戸Ｄを有する家具や吊り戸棚等の収納装置に設けられるもので、収納装置本体Ｈの開口部から開き戸Ｄ側に押込可能に突出するラックピン１と、該ラックピン１を押込位置から突出位置に復帰させる復帰ばね２と、ラックピン１と噛合し、ラックピン１の摺動により回転するピニオン３と、該ピニオン３に介装され、ラックピン１の突出方向にはピニオン３を空転させ、ラックピン１の押込方向には負荷をかけた状態でピニオン３を回転させる１方向クラッチ４とを備える。【選択図】図１
2005171500.tif 000002
【特許請求の範囲】
【請求項１】
閉じ方向に付勢された開き戸を有する家具や吊り戸棚等の収納装置に設けられる開き戸のブレーキ装置であって、収納装置の開口部から開き戸側に押込可能に突出するラックピンと、該ラックピンを押込位置から突出位置に復帰させる復帰ばねと、ラックピンと噛合し、ラックピンの摺動により回転するピニオンと、該ピニオンに介装され、ラックピンの突出方向にはピニオンを空転させ、ラックピンの押込方向には負荷をかけた状態でピニオンを回転させる１方向クラッチとを備えたことを特徴とする開き戸のブレーキ装置。
【請求項２】
先端にフックを備え、基端が収納装置の本体側に揺動可能に枢着されたロックカムと、該ロックカムの下部を支持して前後に転動可能に配設され、ロックカムのフックを後退位置で上昇させるとともに前進位置で下降させるボールと、開き戸側に配設され、ロックカムのフックが下降位置で係合するストライクと、開き戸の閉止動作により作動し、閉止位置で前記ボールを後退位置に押し戻すリセット部材とからなる地震時に開き戸の開放を規制する閉止装置を付設したことを特徴とする請求項１記載の開き戸のブレーキ装置。
【発明の詳細な説明】
【技術分野】
【０００１】
本発明は、開き戸のブレーキ装置に関し、特に、閉じ方向に付勢された開き戸を所定の負荷をかけながらゆっくりと閉止させることができる開き戸のブレーキ装置に関するものである。
【背景技術】
【０００２】
家具や吊り戸棚等の開き戸を有する収納装置は、最近では、ばね付ヒンジ等を採用することにより、開き戸を閉じ方向に付勢し、開き戸が閉じ位置に自動的に復帰するように配慮されている。
【０００３】
しかしながら、このような閉じ方向に付勢された開き戸を有する収納装置では、開き戸から完全に手を離してしまうと、開き戸が勢いがついた状態で収納装置に当接することから、閉止時に大きな音がしたり、開き戸の閉じ動作に高級感がなくなるという問題を有している。
【発明の開示】
【発明が解決しようとする課題】
【０００４】
本発明は、上記従来の収納装置が有する問題点に鑑み、閉じ方向に付勢された開き戸を所定の負荷をかけながらゆっくりと閉止させることができる開き戸のブレーキ装置を提供することを目的とする。
【課題を解決するための手段】
【０００５】
上記目的を達成するため、本発明の開き戸のブレーキ装置は、閉じ方向に付勢された開き戸を有する家具や吊り戸棚等の収納装置に設けられる開き戸のブレーキ装置であって、収納装置の開口部から開き戸側に押込可能に突出するラックピンと、該ラックピンを押込位置から突出位置に復帰させる復帰ばねと、ラックピンと噛合し、ラックピンの摺動により回転するピニオンと、該ピニオンに介装され、ラックピンの突出方向にはピニオンを空転させ、ラックピンの押込方向には負荷をかけた状態でピニオンを回転させる１方向クラッチとを備えたことを特徴とする。
【０００６】
この場合において、先端にフックを備え、基端が収納装置の本体側に揺動可能に枢着されたロックカムと、該ロックカムの下部を支持して前後に転動可能に配設され、ロックカムのフックを後退位置で上昇させるとともに前進位置で下降させるボールと、開き戸側に配設され、ロックカムのフックが下降位置で係合するストライクと、開き戸の閉止動作により作動し、閉止位置で前記ボールを後退位置に押し戻すリセット部材とからなる地震時に開き戸の開放を規制する閉止装置を付設することができる。
【発明の効果】
【０００７】
本発明の開き戸のブレーキ装置によれば、収納装置の開口部から開き戸側に押込可能に突出するラックピンと、該ラックピンを押込位置から突出位置に復帰させる復帰ばねと、ラックピンと噛合し、ラックピンの摺動により回転するピニオンと、該ピニオンに介装され、ラックピンの突出方向にはピニオンを空転させ、ラックピンの押込方向には負荷をかけた状態でピニオンを回転させる１方向クラッチとを備えることから、付勢された状態で閉じかけた開き戸をラックピンで受け止め、開き戸にラックピンからピニオンを介して１方向クラッチの負荷をかけながらゆっくりと閉止させることができる。
そして、開き戸を開いたときには、ラックピンは、ピニオンが１方向クラッチにより空転することから、復帰ばねにより元の突出位置に復帰することができる。
【０００８】
この場合、先端にフックを備え、基端が収納装置の本体側に揺動可能に枢着されたロックカムと、該ロックカムの下部を支持して前後に転動可能に配設され、ロックカムのフックを後退位置で上昇させるとともに前進位置で下降させるボールと、開き戸側に配設され、ロックカムのフックが下降位置で係合するストライクと、開き戸の閉止動作により作動し、閉止位置で前記ボールを後退位置に押し戻すリセット部材とからなる地震時に開き戸の開放を規制する閉止装置を付設することにより、地震により収納装置が揺れて開き戸が開きかけたときに、リセット部材による押圧が解かれたボールが前進位置に移動し、これにより、ロックカムのフックが下降してストライクと係合し、開き戸をロックすることができる。
そして、地震後は、開き戸を閉止位置に戻すことにより、リセット部材がボールを後退位置に押し戻し、これにより、ロックカムのフックが上昇して、開き戸のロック状態を解除することができる。
【発明を実施するための最良の形態】
【０００９】
以下、本発明の開き戸のブレーキ装置の実施の形態を図面に基づいて説明する。
【実施例１】
【００１０】
図１〜図２に、本発明の開き戸のブレーキ装置の第１実施例を示す。
この開き戸のブレーキ装置は、閉じ方向に付勢された開き戸Ｄを有する家具や吊り戸棚等の収納装置に設けられるもので、収納装置本体Ｈの開口部から開き戸Ｄ側に押込可能に突出するラックピン１と、該ラックピン１を押込位置から突出位置に復帰させる復帰ばね２と、ラックピン１と噛合し、ラックピン１の摺動により回転するピニオン３と、該ピニオン３に介装され、ラックピン１の突出方向にはピニオン３を空転させ、ラックピン１の押込方向には負荷をかけた状態でピニオン３を回転させる１方向クラッチ４とを備えている。
【００１１】
開き戸Ｄは、ばね付ヒンジ（図示省略）に枢支されることにより閉じ方向に付勢されており、閉じ位置に自動的に復帰するようになされている。
【００１２】
ラックピン１は、収納装置本体Ｈの開口部に固定されたケース５に摺動可能に支持されており、内挿された復帰ばね２に付勢された状態で、開き戸Ｄ側に押込可能に突出している。
また、復帰ばね２は、ラックピン１を押込位置から突出位置に復帰させるためのもので、ラックピン１が突出する方向には１方向クラッチ４がピニオン３を空転させるため、比較的小さなばね力のものを使用することができる。
【００１３】
ピニオン３は、ラックピン側部のラックと噛合する状態でケース５に回動自在に枢支されており、ラックピン１の摺動により正逆方向に回転する。
ピニオン３の支軸４１はケース５に回動自在に支持されており、さらに、ピニオン３は、この支軸４１に回動自在に支持されている。
【００１４】
１方向クラッチ４は、ピニオン３の支軸４１と、ピニオン３の軸穴に形成されたピン室４２と、該ピン室４２に遊嵌されたピン４３と、支軸４１に固定されたブレーキローラ４４と、ケース５に螺合し、ブレーキローラ４４に回転抵抗を付与するねじ部材４５とを備えている。
ピン室４２は、図２に示すように、ピニオン３の１回転方向にテーパ部４２ａを有し、該テーパ部４２ａは、ピニオン３の回転により移動したピン４３を支軸４１との間で挟着することにより、ピニオン３と支軸４１を一体に回転させる。
なお、ピン室４２とピン４３は、図においては、それぞれ１個ずつ設けるようにしているが、これに限定されず、例えば、支軸４１の周囲に等間隔に複数個ずつ（例えば、１２０゜の間隔をあけて３個ずつ）設けることもでき、これにより、動作の安定性を向上することができる。
ブレーキローラ４４は、例えば合成樹脂からなり、その周面に当接するねじ部材４５の閉め加減によって回転抵抗を調整することができる。
【実施例２】
【００１５】
次に、図３〜図４を参照して、本発明の開き戸のブレーキ装置の第２実施例を説明する。
この開き戸のブレーキ装置は、第１実施例と同じ構成のブレーキ装置の側部に、地震時に開き戸Ｄの開放を規制する閉止装置が付設されている。
閉止装置は、先端にフック６１を備え、基端が収納装置の本体Ｈ側に揺動可能に枢着されたロックカム６と、該ロックカム６の下部を支持して前後に転動可能に配設され、ロックカム６のフック６１を後退位置で上昇させるとともに前進位置で下降させるボール７と、開き戸Ｄ側に配設され、ロックカム６のフック６１が下降位置で係合するストライク８と、開き戸Ｄの閉止動作により摺動し、閉止位置で前記ボール７を後退位置に押し戻すリセットピン９とを備えている。
【００１６】
ロックカム６は、収納装置の本体Ｈに固定されたケース５に基端が軸１３により枢着され、この軸１３を中心に揺動することにより、先端に形成された下向きのフック６１を昇降させる。
このロックカム６の下部には、後退位置のボール７にその頂部よりやや前で当接する凸部６２が形成されている。
なお、ロックカム６のフック６１側は、ケース５のスリット５１を介して開き戸Ｄ側に突出している。
【００１７】
ボール７は、ケース５の下部に凹設されたボール室５２に前後に転動可能に配設されており、後退位置でロックカム６の凸部６２に当接することによりロックカム６を下から支持している。
そして、このボール７は、図４に示すように、後退位置では、凸部６２に当接することによりロックカム６のフック６１を上昇させるとともに、前進位置では、凸部６２から外れることによりロックカム６のフック６１を下降させる。
また、ボール７を収容するボール室５２の底壁には、後退位置のボール７にその底頂部よりやや前で当接する凸部５３が形成されるとともに、この凸部５３から前方にかけては、ボール７が転動しやすいように下り傾斜が付けられている。
【００１８】
ストライク８は、開き戸Ｄに固定されたコ字状の部材からなり、図４に示すように、ロックカム６のフック６１が下降したときに、該フック６１と係合することにより開き戸Ｄがそれ以上開かないようにロックする。
このストライク８の頂部８１には、リセットピン９の先端が当接し、リセットピン９は、このストライク８を介して開き戸Ｄの閉止動作により摺動する。
【００１９】
リセットピン９は、リセット部材として、ボール室５２の前方に形成されたケース５のピン穴に摺動可能に配設されており、ボール室５２側に頭部９１を設けて抜け止めされている。
このリセットピン９は、開き戸Ｄの閉止動作によりストライク８を介して先端が押圧され、図４（ａ）に示すように、開き戸Ｄが閉止した状態では、ボール７を後退位置に押し戻す長さに設定されている。
なお、本実施例においては、リセットピン９を、ボール室５２の前方に形成されたケース５のピン穴に摺動可能に配設するようにしたが、ストライク８等の開き戸Ｄ側に配設することもできる。
【００２０】
かくして、本実施例の開き戸のブレーキ装置は、収納装置の開口部から開き戸側に押込可能に突出するラックピン１と、該ラックピン１を押込位置から突出位置に復帰させる復帰ばね２と、ラックピン１と噛合し、ラックピン１の摺動により回転するピニオン３と、該ピニオン３に介装され、ラックピン１の突出方向にはピニオン３を空転させ、ラックピン１の押込方向には負荷をかけた状態でピニオン３を回転させる１方向クラッチ４とを備えることから、付勢された状態で閉じかけた開き戸Ｄをラックピン１で受け止め、開き戸Ｄにラックピン１からピニオン３を介して１方向クラッチ４の負荷をかけながらゆっくりと閉止させることができる。
そして、開き戸を開いたときには、ラックピン１は、ピニオン３が１方向クラッチ４により空転することから、復帰ばね２により元の突出位置に復帰することができる。
この場合、地震時に開き戸の開放を規制する閉止装置を付設し、該閉止装置が、先端にフック６１を備え、基端が収納装置の本体Ｈ側に揺動可能に枢着されたロックカム６と、該ロックカム６の下部を支持して前後に転動可能に配設され、ロックカム６のフック６１を後退位置で上昇させるとともに前進位置で下降させるボール７と、開き戸Ｄ側に配設され、ロックカム６のフック６１が下降位置で係合するストライク８と、開き戸Ｄの閉止動作により摺動し、閉止位置で前記ボール７を後退位置に押し戻すリセットピン９とを備えることにより、図４（ｂ）に示すように、地震により収納装置が揺れて開き戸Ｄが開きかけたときに、リセットピン９による押圧が解かれたボール７が前進位置に移動し、これにより、図４（ｃ）に示すように、ロックカム６のフック６１が下降してストライク８と係合し、開き戸Ｄをロックすることができる。
そして、地震後は、図４（ｃ）〜（ａ）に示すように、開き戸Ｄを閉止位置に戻すことにより、リセットピン９がボール７を後退位置に押し戻し、これにより、ロックカム６のフック６１が上昇して、開き戸Ｄのロック状態を解除することができる。
このように、本実施例の開き戸のブレーキ装置は、簡便な構成により開き戸のブレーキ装置と閉止装置をコンパクトに形成することができる。
【００２１】
以上、本発明の開き戸のブレーキ装置について、実施例に基づいて説明したが、本発明は上記実施例に記載した構成に限定されるものではなく、その趣旨を逸脱しない範囲において適宜構成を変更することができる。
【産業上の利用可能性】
【００２２】
本発明の開き戸のブレーキ装置は、閉じ方向に付勢された開き戸を所定の負荷をかけながらゆっくりと閉止させるという特性を有していることから、高級な家具や吊り戸棚等の収納装置の用途に好適に用いることができる。
【図面の簡単な説明】
【００２３】
【図１】本発明の開き戸のブレーキ装置の第１実施例を示し、（ａ）は平面図、（ｂ）は縦断面図、（ｃ）は背面図である。
【図２】１方向クラッチを示し、（ａ）はピンが挟着された状態を示す平面図、（ｂ）はピンが解放された状態を示す平面図である。
【図３】本発明の開き戸のブレーキ装置の第２実施例を示し、（ａ）は平面図、（ｂ）は正面図、（ｃ）は背面図である。
【図４】ブレーキ装置を示し、（ａ）は開き戸の閉止状態の断面図、（ｂ）は開き戸が開きかけた状態の断面図、（ｃ）は開き戸をロックした状態を示す断面図である。
【符号の説明】
【００２４】
１    ラックピン
２    復帰ばね
３    ピニオン
４    １方向クラッチ
４１  支軸
４２  ピン室
４２ａ  テーパ部
４３  ピン
４４  ブレーキローラ
４５  ねじ部材
５    ケース
５１  スリット
５２  ボール室
５３  凸部
６    ロックカム
６１  フック
６２  凸部
６３  軸
７    ボール
８    ストライク
８１  頂部
９    リセットピン
９１  頭部
【図１】
2005171500.tif 000003
【図２】
2005171500.tif 000004
【図３】
2005171500.tif 000005
【図４】
2005171500.tif 000006